(57)【要約】【課題】  内部に収納されている電線等のはみ出しを防止することができるコルゲートチューブのワイヤハーネスへの取付構造、ワイヤハーネスおよびワイヤハーネスの製造方法を提供する。【解決手段】  電線２１を収容しているコルゲートチューブ１０のスリット１３の左右両側縁端部１４、１５を重ねたラップ部１６を螺旋状に形成したので、スリット１３の方向が電線２１等の軸線とは異なるようになった。これにより、コルゲートチューブ１０あるいはワイヤハーネス２０を曲げた際でもスリット１３が開かないので、内部に収容されている電線２１等がコルゲートチューブ１０から飛び出すのを防止することができる。また、スリット１３の左右両縁端面１４ａ、１５ａが傾斜して切断されているので、電線２１にコルゲートチューブ１０を装着後、コルゲートチューブ１０を捻ることにより、容易にラップすることができる。【選択図】  図１
2006136157.tif 000002
【特許請求の範囲】
【請求項１】
長手方向に沿ってスリットが設けられたコルゲートチューブのワイヤハーネスへの取付構造であって、
ワイヤハーネスに被せられた前記コルゲートチューブを捻ってから前記スリットの左右両側縁端部を重ねることで螺旋状のラップ部を形成することを特徴とするコルゲートチューブのワイヤハーネスへの取付構造。
【請求項２】
前記スリットの左右両側縁端面が前記コルゲートチューブの半径方向と交差する方向に傾斜して切断されていることを特徴とする請求項１記載のコルゲートチューブのワイヤハーネスへの取付構造。
【請求項３】
長手方向に沿ってスリットを有するコルゲートチューブが被せられたワイヤハーネスであって、
前記スリットの左右両側縁端部が重なるように捻られて密着するように取付けられることを特徴とするワイヤハーネス。
【請求項４】
長手方向に沿ってスリットを有するコルゲートチューブが被せられたワイヤハーネスの製造方法であって、
前記スリットの左右両側縁端部が重なり密着するように前記コルゲートチューブを捻りながら取付けることを特徴とするワイヤハーネスの製造方法。
【発明の詳細な説明】
【技術分野】
【０００１】
本発明は、例えば、自動車配線用の電線束を内部に収容して保護するコルゲートチューブのワイヤハーネスへの取付構造、ワイヤハーネスおよびワイヤハーネスの製造方法に関するものである。
【背景技術】
【０００２】
従来より、コルゲートチューブでは、一般に、母線の一つに沿って長手方向にスリットが設けられており、このスリットからコルゲートチューブの内部に電線等を収容してワイヤハーネスを形成している。
しかしながら、スリットはコルゲートチューブの母線の一つに沿って直線的に設けられているので、内部に電線等を収容したときに、スリットと電線等の軸方向とが同一方向となり、コルゲートチューブを曲げるとスリットが開いて内部の電線等がはみ出し易いという問題があった。
【０００３】
そこで、長手方向に沿ってスリットを設けて、スリットの左右両側を重ねたコルゲートチューブが考案された（例えば特許文献１参照）。
図８に示すように、特許文献１に記載されたコルゲートチューブ１００は、コルゲータ内で押出し成形してコルゲートピーク１０１およびコルゲートラフ１０２を設けた後に、コルゲートチューブを母線の一つに沿って直線的にスリット切断してある。スリットの左右両端面１０３ａ、１０３ｂは、半径方向ではなく、半径方向と交差する方向に斜めに切断されている。そして、コルゲートチューブ１００を圧縮して小径化し、一方の端面１０３ａ（１０３ｂ）が他方の端面１０３ｂ（１０３ａ）に沿って乗り上げるようにして、スリットの左右両端部１０４ａ、１０４ｂが重なるように形成してある。
【特許文献１】特表２００３−５０２１９５号公報（図３）
【発明の開示】
【発明が解決しようとする課題】
【０００４】
しかしながら、特許文献１に開示されているコルゲートチューブ１００においては、コルゲートチューブ１００を成形した後、暖かいうちにスリット切断し、さらに変形装置により圧縮加工および冷却を行う必要があるため、製造が面倒であるという不都合がある。
また、電線等の取付け時においても、処理装置あるいは手作業で、重なっている両端部１０４ａ、１０４ｂを入れ替えなければならない。このため、スリットは開きにくくなるものの、専用の装置が必要となると共に多くの作業工数を要するという不都合がある。
【０００５】
本発明は、前述した問題点に鑑みてなされたものであり、その目的は、内部に収納されている電線等のはみ出しを防止することができるコルゲートチューブのワイヤハーネスへの取付構造、ワイヤハーネスおよびワイヤハーネスの製造方法を提供することにある。
【課題を解決するための手段】
【０００６】
１）本発明に係るコルゲートチューブのワイヤハーネスへの取付構造は、長手方向に沿ってスリットが設けられたコルゲートチューブのワイヤハーネスへの取付構造であって、
ワイヤハーネスに被せられた前記コルゲートチューブを捻ってから前記スリットの左右両側縁端部を重ねることで螺旋状のラップ部を形成することを特徴とする。
【０００７】
前記構成のコルゲートチューブのワイヤハーネスへの取付構造によれば、ワイヤハーネスに被せられた前記コルゲートチューブを捻ってから前記スリットの左右両側縁端部を重ねることで螺旋状のラップ部を形成したので、コルゲートチューブを曲げた際でもスリットが開かない。このため、内部に収容されている電線等がコルゲートチューブから飛び出すのを防止することができる。
また、ラップ部の幅を変えることにより、コルゲートチューブの外径を調整することができる。すなわち、捻り角度を大きくしてラップ部の幅を広くすると、コルゲートチューブの外径は小さくなる。一方、捻り角度を小さくしてラップ部の幅を狭くすると、コルゲートチューブの外径は大きくなる。また、特別の装置を用いることなく容易にラップ部を形成することができる。
【０００８】
２）本発明に係るコルゲートチューブのワイヤハーネスへの取付構造は、前記１）記載のコルゲートチューブのワイヤハーネスへの取付構造であって、前記スリットの左右両側縁端面が前記コルゲートチューブの半径方向と交差する方向に傾斜して切断されていることを特徴とする。
【０００９】
前記構成のコルゲートチューブのワイヤハーネスへの取付構造によれば、スリットの左右両縁端面が傾斜して切断されているので、捻った際に互いの両側縁端面が滑り易くなり、容易に重ね合わせることができ、作業性の向上を図ることができる。
【００１０】
３）本発明に係るワイヤハーネスは、長手方向に沿ってスリットを有するコルゲートチューブが被せられたワイヤハーネスであって、前記スリットの左右両側縁端部が重なるように捻られて密着するように取付けられることを特徴とする。
【００１１】
前記構成のワイヤハーネスによれば、電線を収容しているコルゲートチューブのスリットの左右両側縁端部が重なるように捻られて密着するように取付けられるので、スリットの方向が電線等の軸線とは異なるようになった。これにより、コルゲートチューブを曲げた際でもスリットが開かないので、内部に収容されている電線等がコルゲートチューブから飛び出すのを防止することができ、信頼性の高いワイヤハーネスを得ることができる。
【００１２】
４）本発明に係るワイヤハーネスの製造方法は、長手方向に沿ってスリットを有するコルゲートチューブが被せられたワイヤハーネスの製造方法であって、前記スリットの左右両側縁端部が重なり密着するように前記コルゲートチューブを捻りながら取付けることを特徴とする。
【００１３】
前記構成のワイヤハーネスの製造方法によれば、電線にコルゲートチューブを装着後、前記スリットの左右両側縁端部が重なり密着するように前記コルゲートチューブを捻りながら取付けるので、容易に左右両側縁端部を重ねることができる。これにより、コルゲートチューブを曲げた際でもスリットが開かないので、内部に収容されている電線等がコルゲートチューブから飛び出すのを防止することができ、生産性の向上を図ることができる。
【発明の効果】
【００１４】
本発明のコルゲートチューブのワイヤハーネスへの取付構造、ワイヤハーネスおよびワイヤハーネスの製造方法によれば、コルゲートチューブを曲げた際でもスリットが開かず、内部に収容されている電線等がコルゲートチューブから飛び出すのを防止することができる。したがって、コルゲートチューブのワイヤハーネスへの取付時の作業性の向上、ワイヤハーネスの信頼性の向上及びワイヤハーネスの生産性の向上を図ることができる。
【発明を実施するための最良の形態】
【００１５】
以下、本発明に係る実施形態を図面に基づいて詳細に説明する。図１は本発明のコルゲートチューブを示す部分平面図、図２は図１における断面図、図３（Ａ）はスリットを設けたコルゲートチューブの断面図、図３（Ｂ）は図３（Ａ）のコルゲートチューブを捻った状態を示す断面図である。また、図４（Ａ）はコルゲートチューブにスリットを設ける工程を示す説明図、図４（Ｂ）はコルゲートチューブを捻る工程を示す説明図、図５（Ａ）は捻り角度が小さい場合のコルゲートチューブの断面図、図５（Ｂ）は捻り角度が大きい場合のコルゲートチューブの断面図である。また、図６は本発明の実施形態に係るコルゲートチューブのワイヤハーネスへの取付状態を示す部分平面図、図７は本発明の実施形態に係るコルゲートチューブのワイヤハーネスへの取付状態を示す平面図である。
【００１６】
図１および図２に示すように、本発明の実施形態であるコルゲートチューブ１０は、大径部１１と小径部１２とが交互に連続して設けられ、長手方向に沿ってスリット１３が設けられると共にスリット１３の左右両側縁端部１４、１５を重ねたラップ部１６を有しており、前記ラップ部１６が螺旋状に設けられている。また、図２および図３（Ａ）に示すように、前記スリット１３の左右両側縁端面１４ａ、１５ａが平行に傾斜して切断されている。
【００１７】
このようなコルゲートチューブ１０は、図４（Ａ）に示すように、円筒形状をした元のコルゲートチューブ１０Ａにおいて母線の一つに沿って長手方向に直線的にスリット１３を設ける。このとき、図２および図３に示すように、スリット１３の左右両側縁端面１４ａ、１５ａが半径方向と交差する方向に切断する。
【００１８】
そして、図４（Ｂ）に示すように、スリット１３が設けられた元のコルゲートチューブ１０Ａを捻って、一方の側縁端部１４が他方の側縁端部１５の上に被さるようにする。このとき、スリット１３の左右両側縁端面１４ａ、１５ａが半径方向と交差する方向に傾斜して切断されているので、図３（Ｂ）に示すように、一方の側縁端面１４ａが他方の側縁端面１４ｂに沿ってすべり、容易にラップすることができる。このため、特殊な装置を用いることなく、容易にラップ部１６を形成することができる。
【００１９】
コルゲートチューブ１０は、その一端あるいは両端をテープ巻き等で固定して戻らないようにする。このとき、図５（Ａ）に示すように、捻り角度θが小さい場合にはコルゲートチューブ１０は大径になり、図５（Ｂ）に示すように、捻り角度θが大きい場合には、コルゲートチューブ１０は小径になる。
【００２０】
以上、前述したコルゲートチューブ１０によれば、スリット１３の左右両側縁端部１４、１５を重ねて形成されるラップ部１６を螺旋状に形成したので、コルゲートチューブ１０を曲げた際でもスリット１３が開かない。また、ラップ部１６の幅を変えることにより、コルゲートチューブ１０の外径を調整することができる。すなわち、捻り角度θを大きくしてラップ部１６の幅を広くすることにより、コルゲートチューブ１０の外径を小さくすることができる。一方、捻り角度θを小さくしてラップ部１６の幅を狭くすることにより、コルゲートチューブ１０の外径を大きくすることができる。
【００２１】
次に、本発明に係るワイヤハーネス２０について説明する。
図６に示すように、このワイヤハーネス２０は、スリット１３部分に設けられたラップ部１６が螺旋状に設けられるとともに、スリット１３の左右両縁端面１４ａ、１５ａが平行に傾斜して切断されているコルゲートチューブ１０に、電線２１等を収納したものである。
【００２２】
すなわち、前述したようにして、スリット１３が形成されたコルゲートチューブ１０内部に、スリット１３から電線２１等を収容する。その後、図７に示すように、コルゲートチューブ１０を捻ねることによりスリット１３の左右両側縁端部１４、１５を重ねて、形成されるラップ部１６を螺旋状に形成する。そして、最後に、コルゲートチューブ１０の片端あるいは両端をテープ巻き等で固定して戻らないようにする。
【００２３】
以上、前述したワイヤハーネス２０によれば、電線２１を収容しているコルゲートチューブ１０のスリット１３の左右両側縁端部１４ａ、１５ａを重ねて形成されるラップ部１３を螺旋状に形成したので、スリット１３の方向が電線２１等の軸線とは異なるようになる。これにより、コルゲートチューブ１０を曲げた際でもスリット１３が開かないので、内部に収容されている電線２１等がコルゲートチューブ１０から飛び出すのを防止することができる。従って、従来のように、全長にわたって必要とされていたテープ巻きを省略することができ、作業性が改善される。
【００２４】
また、スリット１３の左右両側縁端面１４ａ、１５ａが傾斜して切断されているので、電線２１をコルゲートチューブ１０に収納後、コルゲートチューブ１０を捻ることにより、容易にラップブラケット１６を螺旋状に形成することができ、特殊な装置を用いることなくワイヤハーネス２０を作製することができる。また、コルゲートチューブ１０の捻り角度によって外径を調整することができるので、収容する電線２１等の外径に応じて、ワイヤハーネス２０の外径を調整することが可能になる。
【００２５】
なお、本発明のコルゲートチューブのワイヤハーネスへの取付構造、ワイヤハーネスおよびワイヤハーネスの製造方法は、前述した実施形態に限定されるものでなく、適宜な変形，改良等が可能である。例えば、前述した実施形態においては、ラップ部１６を略一定幅で設けるようにしたが、収容される電線２１等が、例えば先細りの形状をしている場合には、コルゲートチューブ１０の捻り角度を両端で異なるようにすることにより、外径の異なるワイヤハーネス２０を形成することもできる。
【００２６】
以上のように本発明に係るコルゲートチューブのワイヤハーネスへの取付構造、ワイヤハーネスおよびワイヤハーネスの製造方法は、従来のようなコルゲートチューブを曲げた際に内部に収容している電線等が飛び出すという問題を解消できる。すなわち、コルゲートチューブを曲げた際でもスリットが開かず、内部に収容されている電線等がコルゲートチューブから飛び出すのを防止することができ、例えば自動車配線用の電線束を内部に収容して保護することができるコルゲートチューブのワイヤハーネスへの取付構造として有用である。
【図面の簡単な説明】
【００２７】
【図１】本発明の実施形態に係るコルゲートチューブを示す部分平面図である。
【図２】図１におけるII−II線の断面図である。
【図３】（Ａ）は、スリットを設けたコルゲートチューブの断面図、（Ｂ）は、（Ａ）のコルゲートチューブを捻った状態を示す断面図である。
【図４】（Ａ）は、コルゲートチューブにスリットを設ける工程を示す説明図、（Ｂ）は、コルゲートチューブを捻る工程を示す説明図である。
【図５】（Ａ）は、捻り角度が小さい場合のコルゲートチューブの断面図、（Ｂ）は、捻り角度が大きい場合のコルゲートチューブの断面図である。
【図６】本発明の実施形態に係るコルゲートチューブのワイヤハーネスへの取付状態を示す部分平面図である。
【図７】本発明の実施形態に係るコルゲートチューブのワイヤハーネスへの取付状態を示す平面図である。
【図８】従来のコルゲートチューブを示す断面図である。
【符号の説明】
【００２８】
１０  コルゲートチューブ
１１  大径部
１２  小径部
１３  スリット
１４、１５  側縁端部
１４ａ、１５ａ  側縁端面
１６  ラップ部
２０  ワイヤハーネス
【図１】
2006136157.tif 000003
【図２】
2006136157.tif 000004
【図３】
2006136157.tif 000005
【図４】
2006136157.tif 000006
【図５】
2006136157.tif 000007
【図６】
2006136157.tif 000008
【図７】
2006136157.tif 000009
【図８】
2006136157.tif 000010